(57)【要約】　　　（修正有）【課題】　締結具無し状態の間に発射準備位置への銃口部変位を防止するブロック用表面が従動部に配備された締結具打込み工具を提供する。【解決手段】　締結具打込み工具は、工具本体と、該工具本体から前方に延在すると共に発射準備位置へと変位可能な銃口部４４と、締結具９０を保持すべく該銃口部４４に連結されたマガジンと、上記マガジン内で上記締結具を付勢する従動部１１０とを備える。上記従動部１１０は、締結具無し状態の間に上記銃口部４４をブロックするブロック用表面であって上記銃口部４４が発射準備位置へと変位するのを防止するブロック用表面を有する。【選択図】図３
2004106181.tif 000002
【特許請求の範囲】
【請求項１】
　軸心を有する工具本体と、
　上記工具本体内で上記軸心に沿い案内されて締結具を打込むピストンと、
　上記工具本体から軸心方向において前方に延在すると共に発射準備位置へと変位可能な銃口部と、
　上記締結具を保持すると共に上記銃口部に連結された端部を有するマガジンと、
　上記マガジンを通して上記銃口部内へと上記締結具を付勢すべく構成され上記マガジン内に配置された従動部と、を備え、
　上記従動部は、上記マガジンが締結具無し状態に在るときに上記銃口部をブロックするブロック用表面であって上記銃口部が上記発射準備位置へと変位されるのを防止するブロック用表面を有する、
　締結具打込み工具。
【請求項２】
　前記銃口部は、前記締結具無し状態の間に前記従動部が当該銃口部壁部を貫通するのを許容する開口を備えた壁部を有し、
　上記壁部は、締結具無し状態の間に上記従動部の前記ブロック用表面に接触する停止部であって上記銃口部が発射準備位置を取るのを防止する停止部を有する、請求項１記載の締結具打込み工具。
【請求項３】
　前記停止部は前記銃口部壁部の前記開口上の表面である、請求項２記載の締結具打込み工具。
【請求項４】
　前記従動部は前面を有し且つ前記ブロック用表面は上記前面の一部を形成する、請求項２記載の締結具打込み工具。
【請求項５】
　前記銃口部は、前記締結具無し状態の間に前記従動部の前面が当該銃口部壁部を貫通するのを許容する開口を備えた壁部を有し、
　前記ブロック用表面は上記前面の一部を形成し、且つ、
　上記開口は、締結具無し状態の間において上記ブロック用表面に接触する表面であって上記銃口部が発射準備位置を取るのを防止する表面を有する、請求項１記載の締結具打込み工具。
【請求項６】
　前記従動部は締結具接触部分を有し、且つ、前記銃口部は前記締結具無し状態の間において上記従動部の上記締結具接触部分が前記銃口部壁部を貫通するのを許容する開口を備えた壁部を有する、請求項１記載の締結具打込み工具。
【請求項７】
　前記マガジンは前記銃口部から側方に延在する、請求項１記載の締結具打込み工具。
【請求項８】
　当該締結具打込み工具は前記銃口部のためのハウジングを更に備え、
　上記銃口部は上記銃口部ハウジングから軸心方向において前方に延在する、請求項１記載の締結具打込み工具。
【請求項９】
　当該締結具打込み工具は前記工具本体内に同軸的に収納された銃身を更に備え、
　上記銃身は前記ピストンを収納かつ案内する、請求項１記載の締結具打込み工具。
【請求項１０】
　前記ピストンは発射火薬からの爆発力により起動される、請求項１記載の締結具打込み工具。
【発明の詳細な説明】
【技術分野】
【０００１】
　本発明は、締結具無し状態における発射を防止する新規な拘束機構(lock-out mechanism)を備えた締結具打込み工具(fastener driving tool)に関する。
【背景技術】
【０００２】
　締結具打込み工具は典型的に、発射機構を囲繞する後端部、銃口部(muzzle)およびマガジンを備えた前端部、ならびに、工具本体から成る中間領域という３つの領域を有する。また典型的な工具は、工具本体と、該工具本体内に同軸的に収納された銃身とを含む。該銃身は、トリガにより起動される発射機構により駆動されるピストンを含み且つそれを案内する。上記銃身内の緩衝器アセンブリは、上記ピストンの急過すなわちフライト(flight)を停止する。銃口部ハウジング内に収納された銃口部は、工具本体から前方に延在すると共に、受容基体(receiving substrate)に対して押圧されたときに延在位置から発射準備位置へと変位可能である。
【０００３】
　締結具打込み工具は、銃口部が受容基体に対して押圧されたときにのみ上記発射機構が発射を行うのを確実にする接触圧式安全機能を含むのが望ましい。受容基体に対して押圧されたときに上記銃口部は発射準備位置へと変位し、上記トリガが引かれたときに上記発射機構は発射を行い得る。
【０００４】
　一定の締結具打込み工具においてマガジンは、締結具装填時間を最短化すべく、銃口部に連結される。上記マガジンに装填された複数の締結具によれば、ユーザは工具に対する再装填を要するまで複数の締結具を発射できる。上記マガジンは、上記ピストンにより受容基体内へと打込まれるべく締結具を銃口部へと付勢する従動部を含む。
【０００５】
　上記工具は締結具無し状態(fastener-empty condition)として知られた上記マガジンに締結具が無い状態で発射してはならない、と言うのも、上記ピストンが当該工具を損傷し得るからである。上記受容基体内へと打込まれる締結具の抵抗が無いと、ピストンのフライトは上記緩衝器アセンブリならびに従動部を損傷させる可能性がある。
【０００６】
　特許文献１に開示された如く従前の工具は、マガジンと銃口部ハウジングとの間の空間を占有する停止ショルダを従動部の後面上に配備することで、締結具無し状態の間における発射を防止している。上記停止ショルダはマガジンが工具の後端部に向けて移動するのを防止することから、上記発射準備位置を確立するに十分なだけ上記銃口部が変位することが阻止される。
【０００７】
　望まれるものは、締結具無し状態の間において銃口部が発射準備位置に移動するのを阻止する直接的手法である。
【０００８】
【特許文献１】米国特許第４８０９８９８号明細書
【発明の開示】
【発明が解決しようとする課題】
【０００９】
　故に本発明の目的は、締結具無し状態の間に発射準備位置への銃口部変位を防止するブロック用表面が従動部の前部に配備された締結具打込み工具を提供するに在る。
【課題を解決するための手段】
【００１０】
　本発明に依れば締結具打込み工具は、軸心を備えた工具本体と、上記軸心に沿い上記工具本体内で案内されるピストンと、上記工具本体から前方に延在すると共に発射準備位置へと変位可能な銃口部と、該銃口部に連結されたマガジンと、上記マガジン内で締結具を上記銃口部へと付勢する従動部とを有する。上記従動部は、締結具無し状態の間において上記銃口部をブロックするブロック用表面であって上記銃口部が発射準備位置へと移動するのを防止するブロック用表面を有する。
【００１１】
　本発明の別の見地において、上記銃口部は、上記締結具無し状態の間に上記従動部が当該銃口部壁部を貫通するのを許容する開口を備えた壁部を有する。上記銃口部壁部は、締結具無し状態の間に上記従動部の上記ブロック用表面に接触する停止部であって上記銃口部が発射準備位置を取るのを防止する停止部を有する。上記停止部は、上記銃口部壁部の開口上の表面である。
【００１２】
　上記従動部は前面を有し且つ上記ブロック用表面は上記前面の一部を形成する。上記銃口部壁部は、締結具無し状態の間において上記従動部の前面が該銃口部壁部を貫通するのを許容する開口を有する。上記開口は、締結具無し状態の間に上記前面上のブロック用表面に接触する表面であって上記銃口部が発射準備位置を取るのを防止する表面を有する。
【００１３】
　上記従動部は締結具接触部分を有し、且つ、上記銃口部は締結具無し状態の間に上記従動部の上記締結具接触部分が上記壁部を貫通するのを許容する開口を備えた壁部を有する。
【００１４】
　本発明の更に別の見地において、上記マガジンは上記銃口部から側方に延在する。上記締結具打込み工具は上記銃口部用のハウジングを有すると共に、上記銃口部は上記銃口部ハウジングから前方に延在する。上記工具本体内には銃身が同軸的に収納されると共に、該銃身は発射火薬からの爆発力により起動されるピストンを収納かつ案内する。
【発明を実施するための最良の形態】
【００１５】
　図１には、図２の長手案内部材68と、図７の軸心的固定クラッチ機構180と、図６の銃口部拘束機構130とを備えたマガジン50を有する新規な締結具打込み工具10が示される。
【００１６】
　図１において工具10は、前端部40、後端部24および中間領域30という３つの領域を有する。工具10は、軸心3を備えた工具本体32であって、火薬カートリッジ開口22と、ハンドル26を備え且つトリガ28により起動される図３の発射機構320を備える後端部24と、銃口部ハウジング42内に収納された銃口部44を備える前端部40とを備える工具本体32と、銃口部44に連結されて該銃口部44から側方に延在するマガジン50とを含む。
【００１７】
　図２においてマガジン50上の新規な長手案内部材68は、締結具アセンブリ91を該マガジン50を通して銃口部44内へと案内する。長手案内部材68によれば、締結具アセンブリ91が工具10の後端部24に向けて逸脱(skew)してマガジン50を詰まらせることが防止される。
【００１８】
　図７においてマガジン・クラッチ・アセンブリは、マガジン50が工具本体軸心3の回りで枢動して複数の所定位置のひとつへと軸心的に固定されるのを許容する新規な軸心的固定機構180を備える。一実施例においては、４個の所定位置が在る。軸心的固定機構180によればユーザは、部屋の角隅部および他の到達困難な箇所に締結具90を固着するときにマガジン50をじゃまにならない所へ回転し得る。軸心的固定機構180は、工具10が嵩張って扱い難くなるのを防止し乍ら、マガジン50が工具本体軸心3の回りで枢動する方法を提供する。
【００１９】
　図６において新規な銃口部拘束機構130は、マガジン50内に締結具90が無いときに工具10が発射を行うのを防止する。銃口部拘束機構130は、打込まれるべく準備された締結具90が無いときに発射機構320の作動(engagement)を防止することで、工具10に対する損傷を防止する。
【００２０】
　工具10の配向は以下の如くである：前方は銃口部44の方向であり且つ後方は後端部24の方向である。
【００２１】
締結具アセンブリ
　図３に示された如く帯片(strip)で接合された各締結具90を備える締結具アセンブリ91はマガジン50により、ピストン210により打込まれるべく銃口部44へと案内される。図２に戻るとマガジン50は、スリーブ隆起部102と、２個のカラー92と、ヘッド・カラー98と、尖端カラー94とを有する丁合スリーブ(collation sleeve)100により相互に一列に接合された複数の締結具90を有する締結具アセンブリ91を収納すると共に該アセンブリを案内する。ヘッド・カラー98は締結具頭部106に隣接すると共に、尖端カラー94は締結具尖端部分104に隣接する。締結具90は、図３の如く各カラー92間の対応接続部97により接合されてアセンブリ91とされる。アセンブリ91の各端部における締結具90は、他の１個の締結具にのみ夫々接合される。アセンブリ91における残りの各締結具90は、その各側にて他の締結具90に夫々接合される。
【００２２】
マガジン
　図２には、スライダ70およびマガジン・ハウジング60の間に囲繞された空間によりマガジン・チャンバ55が画成されることが示される。締結具アセンブリ91は、マガジン・チャンバ55内に位置する。
【００２３】
　図１に示された如くマガジン50は、スライダ70と、マガジン・ハウジング60と、閉じ位置86においてスライダ70を所定位置に維持するラッチ80とを含む。マガジン50は締結具90をマガジン・チャンバ55内に収納して該締結具90を銃口部44へと供給する。ラッチ80が押し下げられ且つスライダ70がマガジン・ハウジング60のマガジン端部52へと移動されたとき、マガジン・チャンバ55は締結具アセンブリ91を装填する準備ができる。
【００２４】
　引き続き図１に関し、マガジン・ハウジング60はマガジン50の前部区画51であると共に、締結具アセンブリ91の締結具尖端部分104を収納すべく設計される。マガジン・ハウジング60は概略的にU形状断面を有すると共に、該ハウジングは締結具アセンブリ91の尖端カラー94を支持する少なくとも一個の但し好適には二個の案内隆起部62を含む。マガジン・ハウジング60は、ラッチ80に係合するショルダ66も有する。図５に示された如くハウジング尖端凹所64は、少なくとも一個の但し好適には二個の従動部案内部材124がマガジン・ハウジング60を貫通するのを許容すべく設計される。従動部110は、締結具アセンブリ91を銃口部44に向けて適切に付勢するためにマガジン・チャンバ55内に正しく整列されねばならない。
【００２５】
　図１に示された如くスライダ70は、マガジン50の後側部53に沿って位置する区画であってマガジン・ハウジング60に沿い閉じ位置86からマガジン端部52まで摺動し得る区画である。スライダ70は、図２の如く締結具アセンブリ91の締結具頭部106を囲繞すべく設計される。
【００２６】
　引き続き図２に関し、スライダ70は、基部71と該基部71から側方に延在する２本のアーム72とを備えた所定材料のU形状片である。各アーム72は、マガジン・ハウジング60に沿い摺動するスライダ唇部74を以てマガジン・ハウジング60に係合する。各アーム72はまたマガジン・チャンバ55内に二つのフィンガ68も有することで、マガジン・チャンバ55の内部であるときに締結具アセンブリ91の尖端カラー94が逸脱されずに正しく整列されるのを確実にしている。
【００２７】
　スライダ唇部74は、マガジン・ハウジング60のショルダ66の回りに嵌合する唇部溝76を有する。唇部溝76はマガジン・ハウジング60に係合されたスライダ70を保持すると共に、閉じ位置86からマガジン端部52へと摺動するときにスライダ70がマガジン50に沿い直線状に移動することも確実にする。
【００２８】
　マガジン・チャンバ55の内部とされたときに締結具アセンブリ91が逸脱しないことを確実とすべく、一実施例において長手案内部材68は締結具90の夫々の側に位置する２本のフィンガ68として具現される。フィンガ68はスライダ70の内側表面から延在すると共に、締結具アセンブリ91上の丁合スリーブ100の尖端カラー94とヘッド・カラー98との間の空間内に位置する。フィンガ68は、尖端カラー94とヘッド・カラー98との間に配置されたスライダ70の区画から直角に延在し、次に、締結具90に平行に延伸すると共に該締結具90からほぼカラーの幅だけ離間し乍ら尖端カラー94に向けて湾曲する。尖端カラー94の前縁部95がマガジン・ハウジング60の案内隆起部62と面一に位置されたとき、フィンガ68は尖端カラー94の後縁部96に向けて延在すると共に該尖端カラーの該後縁部から0.76 mm(0.030 inch)のところで終端することから、マガジン50の内部とされたときに締結具アセンブリ91が0.76 mm(0.030 inch)を超えて後方に逸脱することが防止される。
【００２９】
　故に、改良された工具10は安定化部材68を備えたマガジン50を有することが理解され得る。改良された締結具打込み工具10は、軸心3を備えた工具本体32と、該工具本体32から前方に延在する銃口部ハウジング42と、該銃口部ハウジング42内に収納されて該ハウジングから前方に延在する銃口部44とを有する。
【００３０】
　締結具90の装填時間を最短化するために工具10は締結具アセンブリ91を保持するマガジン50も有し、該マガジン50はスライダ70を有すると共に、マガジン50および該マガジン50内に配置された従動部110は該マガジン50を通して締結具90を銃口部44内に付勢すべく配置される。締結具アセンブリ91はスライダ70とマガジン・ハウジング60とにより画成されるマガジン・チャンバ55内に保持されるが、その場合にスライダ70はマガジン・ハウジング60に対して係合可能であり且つ閉じ位置86からマガジン端部52へと移動する。スライダ70は、マガジン50を通して締結具アセンブリ91を銃口部44に向けて案内する長手案内部材68であって締結具アセンブリ91がマガジン50に対して逸脱して詰まるのを防止する長手案内部材68を有する。
【００３１】
　ラッチ80はスライダ70に取付けられると共に、締結具アセンブリ91がマガジン・チャンバ55内に載置され得る様にスライダ70が固定閉じ位置86からマガジン端部52へと容易に移動するのを許容する。
【００３２】
　好適実施例において、マガジン・ハウジング60はマガジン50の前部区画51であり且つスライダ70は後側部53である。ユーザは、工具10を受容基体に向けて配向し乍ら、ラッチ80を押し下げると共にスライダ70をマガジン端部52へと引き、新たな締結具アセンブリ91を装填する。
【００３３】
締結具の装填
　図１を参照すると、スライダ70は締結具アセンブリ91の装填のためにマガジン・チャンバ55を開口したままとすべくマガジン端部52に向けて移動せねばならない。ラッチ80は、スライダ70を閉じ位置86に固定して保持する。ラッチ80はスライダ70上にて、切欠(cut out)82と交差して延伸する。
【００３４】
　図４に示された如く切欠82により、ラッチ80上のラッチ脚部88は、ショルダ・ノッチ67に嵌合することでショルダ66に係合し得る。ラッチ80は転動ピン84によりスライダ70に枢動的に取付けられると共にスプリング85により後方に付勢されることから、ラッチ脚部88はショルダ・ノッチ67に係合する。閉じ位置86においてラッチ脚部88はショルダ・ノッチ67内に嵌合すると共に、ショルダ・ノッチ67およびラッチ脚部88は当接することから、スライダ70が閉じ位置86からマガジン端部52に向けて摺動するのが抑制される。
【００３５】
　引き続き図４を参照すると、ラッチ80が押し下げられたときに該ラッチ80はショルダ66から離間して前方に移動する。ラッチ脚部88はもはやショルダ・ノッチ67に当接しないことから、ラッチ80はマガジン端部52に向けて自由に移動する。ラッチ80は転動ピン84によりスライダ70に取付けられることから、ラッチ80が移動するときにスライダ70は共に引張られる。
【００３６】
　図２に戻ると、スライダ70はショルダ66および唇部溝76により案内されてマガジン端部52へと摺動し、締結具アセンブリ91の装填のためにマガジン・チャンバ55を開口したままとする。締結具アセンブリ91は、尖端部分104をマガジン・ハウジング60内に載置することにより、尖端カラー94の前縁部がマガジン・ハウジング60の案内隆起部62に接触するまで、マガジン・チャンバ55内に装填される。ユーザは次にスライダ70をショルダ66および相補的唇部溝76により案内され乍らマガジン50に沿い閉じ位置86へと摺動して締結具頭部106を囲繞することから、フィンガ68は締結具90の尖端カラー94の後縁部の0.76 mm(0.030 inch)上方に位置される。ユーザがスライダ70を閉じ位置86へと摺動したとき、フィンガ68は締結具アセンブリ91を案内する正しい位置を取る。ユーザは、スライダ70をマガジン端部52から閉じ位置86へと摺動させてマガジン・チャンバ55を閉成するために必要な時間以外は、各フィンガを整列させるための一切の時間を費やす必要がない。
【００３７】
従動部
　図３においてマガジン50内の従動部110は、締結具アセンブリ91を銃口部44に向けて付勢する。マガジン50内の締結具アセンブリ91上で銃口部端部52の直近に位置する締結具90のスリーブ隆起部102に対しては、従動部突起112が当接する。従動部110はコイル状定圧スプリング114により銃口部44に向けて付勢されることから、締結具アセンブリ91は銃口部44に向けて引張られる。
【００３８】
　図５には、従動部110をマガジン・チャンバ55内に正しく整列して維持するカラー隆起部122および従動部案内部材124が在る。少なくとも一個の但し好適には二個のカラー隆起部122は、マガジン・ハウジング60上の案内隆起部62とスライダ70上の安定化フィンガ隆起部68との間の空間を進むことにより、締結具アセンブリ91の尖端(tip)カラー92の経路に追随する。図２に示された如くマガジン・ハウジング60上のハウジング隆起部凹所64により生成された空間には、少なくとも一個の但し好適には二個の従動部案内部材124が嵌合する。カラー隆起部122および従動部案内部材124によれば、締結具90を銃口部44内に適切に付勢すべく従動部110が適切にマガジン・チャンバ55を通して案内されることが確実とされる。
【００３９】
　図３においてコイル状定圧スプリング114は従動部110を銃口部44に向けて付勢する。定圧スプリング114の一端は、プレート116およびネジ118により従動部110の後縁部119に接続される。定圧スプリング114の他端は、図３に見られる如くスライダ70におけるブッシュ120の回りに巻き付けられる。ブッシュ120は、ラッチ転動ピン84の回りに嵌合する。締結具アセンブリ91がマガジン・チャンバ55内に装填されると共にスライダ70が閉じ位置86へと摺動した後、締結具アセンブリ91はマガジン・チャンバ55内に在ることから従動部110はマガジン端部52に残存する。定圧スプリング114は従動部110に力を及ぼすことで、該従動部110および締結具アセンブリ91を銃口部44に向けて付勢する。締結具90が銃口部44から打出されて締結具アセンブリ91が短くなるにつれ、定圧スプリング114は増加的にブッシュ120の回りに巻き付いて従動部110を銃口部44に向けて引張ることから、締結具アセンブリ91を銃口部44に向けて付勢する。
【００４０】
　工具10のマガジン50は、ラッチ80および定圧スプリング114を含む。ラッチ80に依れば、スライダ70が取付けられたラッチ80をマガジン・ハウジング60に沿いマガジン端部52へと摺動することでユーザがスライダ70をマガジン端部52へと容易に移動し得ることに加え、スライダ70は閉じ位置86へと容易に固定され得る。
【００４１】
　従動部110はスライダに接続されると共に、ラッチ80が押し下げられてマガジン端部52へと引張られるときにマガジン・チャンバ55内でマガジン端部52へと移動する。締結具アセンブリ91がマガジン・チャンバ55内に導入されたとき、従動部110はマガジン・チャンバ55内のマガジン端部52に適切に位置されたままとされて締結具アセンブリ91を銃口部44に向けて付勢する一方、スライダ70は閉じ位置86へと摺動する。
【００４２】
　コイル状定圧スプリング114は締結具アセンブリ91に対して均一圧力を付与することから、締結具90は均等な力で銃口部44内へと供給されると共に締結具90は常に銃口部44内に適切に位置される。マガジン・チャンバ55内における締結具アセンブリ91の存在の故に、スライダ70がマガジン・ハウジング60に沿いマガジン端部52から閉じ位置86へと移動される時にコイル状定圧スプリング114は巻き出される。コイル状定圧スプリング114は、スライダ70が閉じ位置86へと摺動されたときに自動的に適切に締結具アセンブリ91を付勢すべく配置される。コイル状定圧スプリングは締結具の装填の間に個別に固定および配置される必要が無いので、締結具の装填の間における時間が節約される。
【００４３】
拘束機構(Lock-out Mechanism)
　図６を参照すると、全ての締結具90が銃口部44から打出されたとき、工具10は締結具無し状態135に在る。拘束機構130は、銃口部44が発射準備位置2へと移動するのを防止することで、締結具無し状態135の間に工具10が発射を行わないのを確実にする。図７に見られる如く工具10はマガジン50もしくは緩衝器アセンブリ190内に締結具90が無いときに発射を行ってはならず、且つ、図３に見られる如く従動部110はピストン210の自由フライトにより損傷される可能性がある。
【００４４】
　図６に示された如く、全ての締結具90は銃口部44から打出されており、工具10は締結具無し状態135に在る。銃口部44内に締結具接触部分113が位置し乍ら、従動部110は銃口部壁部45内の開口48に嵌合する。拘束機構130は、銃口部壁部表面47により形成された停止部46であって銃口部壁部開口48によりアクセス可能とされて従動部110のブロック用表面(blocking surface)126に当接する停止部46を含む。
【００４５】
　従動部110の前面125は、ブロック用表面126を提供する。締結具無し状態135の間において銃口部44が受容基体に対して押圧されたとき、銃口部壁部45の露出表面47は従動部110の前面125と接触する状態となる。従動部110は軸心的に変位しないことから、従動部110の前面125との接触により、銃口部44が、図３の如く該銃口部44が銃口部ハウジング42と面一となる時に発射準備位置2を取ることが防止される。
【００４６】
　改良された銃口部44および従動部110によれば、工具10上の直接的銃口部拘束機構130は締結具無し状態135の間において工具10が発射を行うのを防止し得る。直接的銃口部拘束機構130によれば、図３のように、締結具無し状態135の間に銃口部44は発射準備位置2とはならず、ピストン210は発射を行わず、且つ、工具10はピストン210により損傷されないことが確実とされる。
【００４７】
　図１に戻ると締結具打込み工具10は、工具本体32と、該工具本体32から前方に延在する銃口部ハウジング42と、該銃口部ハウジング42から前方に延在すると共に図３の如く発射準備位置2へと変位可能な銃口部44とを有する。工具10は、銃口部44と連結されたマガジン50であって銃口部44から側方に延在するマガジン50を含む。マガジン50内には従動部110が配置され、マガジン50を通して締結具90を銃口部44内へと付勢する。従動部110は締結具接触部分113およびブロック用表面126を有する。図３に見られる如く全ての締結具90がマガジン50を介して銃口部44内へと供給され、ピストン210により銃口部44から打出された場合、マガジン50が締結具無し状態135に在るときにブロック用表面126は銃口部44をブロックし、銃口部44が発射準備位置2へと変位されるのを防止する。銃口部44が発射準備位置2を取ることが阻止されたときに工具10は発射を行わないので、工具10はピストン210の自由フライトによる損傷から保護される。
【００４８】
マガジン・クラッチ
　図７においてマガジン・クラッチは、銃口部アセンブリ140の一部である銃口部44に関連する軸心的固定機構(axial locking mechanism)180により形成される。軸心的マガジン・クラッチ180は軸心的固定力により銃口部アセンブリ140を銃身35に対して所定位置に軸心的に固定する手段を提供することから、操作者が銃口部アセンブリ140に関して適切な係合解除トルクを提供しなければ銃口部アセンブリ140および連結されたマガジン50は工具本体軸心3の回りで回転し得ない。
【００４９】
　軸心的固定機構180は、雌部材に嵌合する雄部材により達成される。好適実施例において、雄部材は銃口部アセンブリ140の後部から突出するスプリング付勢式ボール軸受160である。好適な雌部材は、緩衝器アセンブリ190の保持プレート192上のソケット194である。
【００５０】
　軸心的固定機構180によれば締結具打込み工具10上のマガジン50は、該工具を嵩高くせず(non-bulky)に工具本体軸心3の回りで回転し得る。選択された４つの所定位置のひとつへとマガジン50を回転すると、ユーザは部屋の角隅部および他の到達困難な箇所へと締結具を適切に打込むべく工具を位置決めできる。軸心的固定機構180によれば、工具本体32の周囲寸法が大きくなりすぎたり高重量で扱いにくくなるのを防ぎ乍ら、マガジン50は工具本体軸心3の回りで回転し得る。
【００５１】
　軸心的固定機構180を有する締結具打込み工具10は、軸心3を備えた工具本体32と、内部においてピストン210を収納かつ案内する同軸的に収納された銃身35を有する。緩衝器アセンブリ190は、保持プレート192を有すると共に、銃身35内に収納されることでピストン210のフライトを制御する。銃口部ハウジング42が工具本体32から前方に延在すると共に、固定子150が銃身35に対して同軸的に接続されて該銃身35から前方に延在する。銃口部アセンブリ140は固定子150に対して回転可能に接続されると共に、銃口部ハウジング42を貫通して該ハウジングから前方に延在する。マガジン50は締結具アセンブリ91を保持すると共に、一端にて銃口部アセンブリ140に連結され且つ該銃口部アセンブリ140から側方に延在する。マガジン50および銃口部アセンブリ140は工具本体軸心3の回りにて、所定個数の解除可能固定位置へと回転可能である。軸心的固定機構180は、緩衝器アセンブリ190により銃口部アセンブリ140と係合することで、銃口部アセンブリ140および連結されたマガジン50を所定の解除可能固定位置のひとつへと解除可能に固定する。
【００５２】
銃口部アセンブリ(Muzzle Assembly)
　図７において軸心的固定機構180は銃口部アセンブリ140と連携されると共に、銃口部アセンブリ140と、銃身35内の緩衝器アセンブリ190の保持ケージ195上の保持プレート192との間に軸心的固定力を提供すべく作用する。
【００５３】
　軸心的固定機構180は銃口部アセンブリ140と連携されるが、該アセンブリは、前端部41および後端部43を有する銃口部44であってマガジン50に接続されると共に銃口部ハウジング42を貫通延在して該ハウジングから前方に延在する銃口部44を含む。背板170は、前面173と、後面178と、孔172とを有すると共に、銃口部44の後側部43に対して据込まれる（スウェイジ(swedge)される）。銃口部44の後側部43にては、軸心方向に延伸するチャネル200が在る。銃口部44内のチャネル200内にはスプリング176が収納され、前面161および後面162を各々有するボール軸受160はスプリング176により背板170の方向に付勢される。チャネル200内のスプリング176はボール軸受160を背板170における孔172に対して付勢すると共に、ボール軸受160は背板170により保持され、ボール軸受160の後面162は背板170の後面178の外方を向く。緩衝器アセンブリ190の保持プレート192は、ボール軸受160の後面162を受容するソケット194を有する。
【００５４】
　ユーザは、工具10とは別個に銃口部アセンブリ140を組立ててから該銃口部アセンブリ140を工具10内に挿入し得る。銃口部アセンブリ140の各片は工具本体32内に挿入されて該工具本体32内で適切に位置される必要は無い。工具の組立ておよび修理の作業は、銃口部アセンブリ140により相当に容易とされる。
【００５５】
　図８に示された如く銃口部アセンブリ140は、銃口部ハウジング42を貫通延在して該ハウジングから前方に延在すると共に、キー184およびネジ182により所定位置に保持される。銃口部44は前端部41および後端部43を含むと共に、環状ショルダ141は概略的に後端部に配置され且つ主要部分143は環状ショルダ141から離間して前方に向けて軸心方向に延在する。ショルダ141の外径は主要部分143の外径より僅かに大寸であることから、ショルダ141は主要部分143から外径方向に延在する。
【００５６】
　図７に示された如く銃口部44の後端部43は、相互から90°間隔で等距離に離間された４本の軸心チャネル200を有し、これらはスプリング176を収納する。２つのチャネル200の中央に直接的に位置する軸心方向ピン・チャネル204が在る。
【００５７】
　背板170は、前面173および後面178を有すると共に、銃口部ショルダ141の後部に位置する。背板170は直径が3.96 mm(0.156 inch)より僅かに小寸の５個の孔を有するが、４個の孔172は相互から90°間隔で等距離に離間されると共に、第5孔すなわちピン孔174は背板170上の２つの孔の中央に直接的に位置する。等距離に離間された４個の孔172は、以下に記述される如くボール軸受160を保持すべく設計される。
【００５８】
　引き続き図７に関し、背板170は外側据込部152および内側据込部154により銃口部44に据込まれ、銃口部44に固定される。外側据込部152は銃口部44の後側部43の外側縁部151に沿い延伸すると共に、内側据込部154は内側縁部153に沿い延伸する。背板170の前面173は銃口部44の後側部43に対して保持されると共に、ピン孔174がピン・チャネル204と整列する如く配向される。ピン175はピン孔174を貫通して延伸すると共に銃口部44内のピン・チャネル204に嵌合することから、銃口部44の後部に対して背板170が適切に整列維持されることが確実となる。
【００５９】
　以下に記述される如く各チャネル200内には夫々のチャネル内に１本として４本のスプリング176が載置されることで、各ボール軸受160を、背板170上の孔172に対し且つ保持プレート192上の４個のソケット194内へと付勢する。好適実施例において上記スプリングは、3.76 mm(0.148 inch)の外径(OD)であり且つ7.94 mm(5/16 inch)長である。
【００６０】
　スプリング176により４個のボール軸受160が背板170に対して付勢されると共に、４個の孔172により保持される。好適実施例において該ボール軸受は、マックマスターカール(McMaster Carr)社からの部品番号#9528K12を有する3.96 mm(0.156 inch(5/32))クロム鋼軸受である。ボール軸受160の後面162は背板170の後面178の外方を向くことから、軸心的固定機構180の雄部材を構成する。
【００６１】
緩衝器アセンブリ
　図７において緩衝器アセンブリ190は、軸心的固定機構180の雌部材を構成するソケット194を含む。図３に示された如く緩衝器アセンブリ190は、締結具打込みの間においてピストン210のフライトを停止する二部材システムである。緩衝器アセンブリ190は、保持ケージ195および緩衝器本体196を備える。保持ケージ195は、前面191と後面193とを有する環状保持プレート192を有する。保持プレート192の前面191は、相互に90°間隔で等距離に離間された４個のソケット194を有する。保持プレート192の後面193は、緩衝器本体196に当接する。
【００６２】
　銃口部アセンブリ140上の４個のボール軸受160の後面162は、４個の所定位置のひとつに在るときに保持プレート192の前面191上で等距離に離間された４個のソケット194に嵌合する。４個のソケット194は、半球的に陥没されると共に、直径は3.96 mm(0.156 inch)より僅かに小さい。
【００６３】
マガジンクラッチ機構
　銃口部アセンブリ140上の４個のボール軸受160の各々と保持プレート192の前面191上の４個のソケット194の各々との間における係合により、工具本体軸心3の回りにおける４個の所定個数の位置のひとつに銃口部アセンブリ140および連結されたマガジン50を保持する軸心的固定機構180が提供される。スプリング176は3乃至6 inch-pounds (0.339-0.678 N・m)の係合解除トルクを必要とする力をボール軸受160に及ぼすが、これは工具10の動作の間に銃口部アセンブリ140および連結されたマガジン50を所定位置に維持するに十分なトルクであって、操作者がその意志により銃口部アセンブリ140および連結されたマガジン50を移動するのを妨げるほど大きなトルクではない。
【００６４】
　好適には銃口部アセンブリ140は、改善された製造、修理および動作のために、該銃口部アセンブリを工具10に取付ける前に半組立部品として組立てられる。
【００６５】
銃口部および固定子の組立て
　図７において銃口部アセンブリ140は固定子150内に回転可能に収納されることから、連結されたマガジン50と共に銃口部アセンブリ140は静止側の工具本体32と静止側の共軸的な銃身35内で工具本体32の軸心の回りで回転し得る。
【００６６】
　銃口部44は固定子150に対して回転可能に接続されると共に、該固定子150は銃身35に対して接続される。固定子150は概略的に環状の形状である一方、銃口部アセンブリ140は固定子150の環形の内径より僅かに小寸の外径を有する概略的な円筒形状なので、銃口部アセンブリ140は固定子150内に嵌合する。
【００６７】
　図８に示された如く固定子150は、概略的には当該前側部157に配置された環状フランジ159を備えた前側部157および後側部158、ならびに、フランジ159から軸心方向に後方に延在する円筒部155を含む。固定子150はボア156を有する。銃口部ショルダ141は、径方向にて固定子150のボア156内に嵌合する。銃口部44の主要部分143は所定許容差内で固定子150内に嵌合することから、銃口部44は回転し得る。
【００６８】
　銃口部44の前端部は、固定子150の後側部からボア156内に挿入される。銃口部44はショルダ141の前面が固定子150上に円筒部155の後面で係合するまで固定子150を貫通して前方に引張られることから、銃口部44は固定子150に対してそれ以上は打込み方向に移動され得ない。固定子150は銃口部44と連結されたマガジン50が工具本体軸心3の回りで回転するのを許容し乍ら銃口部44を軸心的に所定位置に保持することから、ユーザは到達困難な箇所に締結具90を打込むべく工具10を更に良好に位置決めできる。
【００６９】
マガジン圧縮の安全機能
　工具10が発射を行うために銃口部44は、該銃口部44を受容基体に対して押圧することで図３の如く該銃口部44が銃口部ハウジング42と面一となる発射準備位置2まで変位されねばならない。図１に見られる如く安全機構5は、ユーザが工具10を、単純にマガジン50上で引き戻すことで発射準備位置2に置くことを防止する。工具10を発射準備位置2に置くには、基体に対して銃口部44が押圧されねばならない。
【００７０】
　キー184は、ネジ182により銃口部用キー孔188内に螺着される。銃口部ハウジング42におけるチャネル200内にはスプリング186が収納される。スプリング186は、工具10の前端部40に向けてキー184を付勢する。銃口部44は、該銃口部44が受容基体に対して押圧されなければ変位し得ない。単にマガジン50上で引き戻すだけでは銃口部44は発射準備位置2に設定されない、と言うのも、スプリング186は銃口部44に取付けられたキー184を付勢するので発射準備位置2への変位が防止されるからである。
【００７１】
カートリッジ式発射機構
　図３に見られる如く締結具打込み工具10は、発射機構320により爆発性発射火薬カートリッジ300を点火することで発射を行う。工具10に対して複数の爆発性火薬カートリッジ300が供給されるのを許容すべく、各カートリッジ300はカートリッジ・チャネル305に沿い発射機構320に供給されるカートリッジ帯片301上に配置される。工具10が発射を行った後で使用済カートリッジ300が発射機構320から離間移動されて新たなカートリッジ300が発射機構320に供給され得る如く、工具10はカートリッジ帯片301の割出し(indexing)のための(不図示の)前進機構を含むのが望ましい。該前進機構は、工具10が発射を行った後で自動的にカートリッジ帯片301を割出すのが更に望ましい。
【００７２】
　カートリッジ式発射機構の例は、代理人処理番号#13819を有すると共に“締結具打込み工具用のカートリッジ帯片前進機構(Cartridge Strip Advancing Mechanism For Fastener Driving Tool)”と称されて本発明と同様に本出願人に譲渡された特許出願に開示されるが、これは言及したことにより本明細書中に援用される。
【００７３】
工具の動作
　工具10は、上記で詳述された如く先ず締結具アセンブリ91をマガジン・チャンバ55内に装填してからスライダ70を閉じ位置86へと摺動してマガジン・チャンバ55を閉じることで、使用状態とされる。銃口部44は、該銃口部44が発射準備位置2を取るように基体に対して押圧されねばならない。次にユーザは、トリガ28を引いて発射機構を起動せねばならない。ピンを起動するとカートリッジ300が衝撃を加えられて該カートリッジ300が点火され、結果的な燃焼によりピストン210が駆動される。ピストン210は銃身35内で前方に変位して締結具アセンブリ91上の締結具90の頭部106に衝当し、締結具90を銃口部44から基体内へと打込む。
【００７４】
　到達困難な箇所へと締結具を打込む場合、ユーザはマガジン端部52に力を付与すると共にクラッチ機構180を利用してマガジン50を回転し得る。全ての締結具90がマガジン50を通して付勢されると共に基体へと打込まれたときにユーザは工具10の発射を行えない、と言うのも、ユーザが工具10を基体に押圧したときに銃口部44は銃口部拘束機構130の故に発射準備位置2へと変位されないからである。
【００７５】
　要約すると、締結具打込み工具10はマガジン50上の新規な長手案内部材68であってマガジン50を介して銃口部44内へと締結具アセンブリ91を案内することで締結具アセンブリ91が工具10の後端部24に向けて逸脱してマガジン50を詰まらせるのを防止する長手案内部材68を有することが理解され得る。上記工具の別の新規な特徴は軸心的クラッチ機構180であるが、該機構は、マガジン50が工具本体軸心3の回りで枢動すると共に４個の所定位置のひとつに軸心的に固定されることで、締結具を角隅部および他の到達困難な箇所に固着するときにユーザが工具10を適切に位置決めするのを可能とする。上記工具の別の新規性は銃口部拘束機構130であり、該機構は、打込まれる準備ができた締結具90が無いときに銃口部44が発射準備位置2へと移動するのを従動部110により阻止することで、マガジン50内に締結具90が無いときに工具10が発射を行うのを防止する。
【図面の簡単な説明】
【００７６】
【図１】図１は、工具に締結具を導入するマガジンを備えた火薬起動式工具の斜視図である。
【図２】図２は、図１の２−２線に沿ったマガジンの底面図である。
【図３】図３は、工具および締結具帯片(fastener strip)の側断面図である。
【図４】図４は、スライダを除去した工具用マガジンの部分図である。
【図５】図５は、マガジン内に位置決めされた銃口部、従動部および転動ピンを示す図である。
【図６】図６は、銃口部拘束位置に在る銃口部、従動部および転動ピンを示す図である。
【図７】図７は、工具銃口部の側断面図である。
【図８】図８は、銃口部アセンブリの分解図である。
【符号の説明】
【００７７】
３…軸心
３２…工具本体
４４…銃口部
５０…マガジン
９０…締結具
１１０…従動部
１２６…ブロック用表面
【図１】
2004106181.tif 000003
【図２】
2004106181.tif 000004
【図３】
2004106181.tif 000005
【図４】
2004106181.tif 000006
【図５】
2004106181.tif 000007
【図６】
2004106181.tif 000008
【図７】
2004106181.tif 000009
【図８】
2004106181.tif 000010